(57)【要約】【課題】  放送電波を受信する放送局毎に音声信号の高域周波数を遮断する高域遮断周波数を予め選択して、放送電波を受信する放送局が選局されたとき、放送局毎に予め選択された高域遮断周波数以上の音声信号を遮断して、受信した放送の音声信号に含まれる高調波ノイズを遮断し、受信した放送の音声を聴き易くすることができるようにする。【解決手段】  音声信号の高域周波数を遮断して、受信した放送電波から検波再生された音声信号に含まれる高調波ノイズを遮断する複数の高域遮断フィルタ回路を検波回路と低周波増幅回路との間に設け、複数の高域遮断フィルタ回路を放送局毎に選択して、選択された複数の高域遮断フィルタ回路の選択情報を放送局毎に対応して記憶し、放送電波が受信されたとき、受信された放送局に対応して記憶されている複数の高域遮断フィルタ回路の選択情報に基づいて、複数の高域遮断フィルタ回路を切り換えるするようにする。【選択図】        図１
2005073193.tif 000002
【特許請求の範囲】
【請求項１】
アンテナにより受信された放送電波の高周波信号を増幅する高周波増幅回路と、高周波増幅回路により増幅された高周波信号と局部発振回路により発振された高周波信号とを混合して中間周波数信号に変換する混合回路と、混合回路により中間周波数信号に変換された中間周波数信号を増幅する中間周波増幅回路と、中間周波数増幅回路により増幅された中間周波数信号を検波して音声信号を再生する検波回路と、検波回路により再生された音声信号を増幅してスピーカから音声を出力する低周波増幅回路とを有する放送受信装置であって、
前記検波回路と前記低周波増幅回路との間に設けられ、音声信号の高域周波数を遮断して、受信した放送電波から検波再生された音声信号に含まれる高調波ノイズを遮断する抵抗とコンデンサとで構成された複数の高域遮断フィルタ回路と、前記複数の高域遮断フィルタ回路を放送局毎に選択する選択手段と、前記選択手段により選択された前記複数の高域遮断フィルタ回路の選択情報を放送局毎に対応して記憶する不揮発性メモリと、放送電波が受信されたとき、受信された放送局に対応して前記不揮発性メモリに記憶されている前記複数の高域遮断フィルタ回路の選択情報に基づいて、前記複数の高域遮断フィルタ回路を切り換える制御手段とを備えたことを特徴とする放送受信装置。
【請求項２】
アンテナにより受信された放送電波の高周波信号を増幅する高周波増幅回路と、高周波増幅回路により増幅された高周波信号と局部発振回路により発振された高周波信号とを混合して中間周波数信号に変換する混合回路と、混合回路により中間周波数信号に変換された中間周波数信号を増幅する中間周波増幅回路と、中間周波数増幅回路により増幅された中間周波数信号を検波して音声信号を再生する検波回路と、検波回路により再生された音声信号を増幅してスピーカから音声を出力する低周波増幅回路とを有する放送受信装置であって、
前記検波回路と前記低周波増幅回路との間に設けられ、受信した放送電波から検波再生された音声信号に含まれる高調波ノイズを遮断する複数のフィルタ手段と、前記複数のフィルタ手段を放送局毎に選択する選択手段と、前記選択手段により選択された前記複数のフィルタ手段の選択情報を放送局毎に対応して記憶する記憶手段と、放送電波が受信されたとき、受信された放送局に対応して前記記憶手段に記憶されている前記複数のフィルタ手段の選択情報に基づいて、前記複数のフィルタ手段を切り換える制御手段とを備えたことを特徴とする放送受信装置。
【請求項３】
前記複数のフィルタ手段は、音声信号の高域周波数を遮断して、音声信号に含まれる高調波ノイズを遮断する複数の高域遮断フィルタ回路であることを特徴とする請求項２記載の放送受信装置。
【請求項４】
前記複数のフィルタ手段は、音声信号の高域周波数を遮断して、音声信号に含まれる高調波ノイズを遮断する抵抗とコンデンサとで構成された複数の高域遮断フィルタ回路であることを特徴とする請求項２記載の放送受信装置。
【請求項５】
前記記憶手段は、不揮発性メモリであることを特徴とする請求項２記載の放送受信装置。
【発明の詳細な説明】
【技術分野】
【０００１】
本発明は、ＡＭ（Ａｍｐｌｉｔｕｄｅ  Ｍｏｄｕｌａｔｉｏｎ）放送、ＦＭ（Ｆｒｅｑｕｅｎｃｙ  Ｍｏｄｕｌａｔｉｏｎ）放送等の放送電波を受信する放送受信装置に係り、特に受信した放送の音声信号に含まれる高調波ノイズを抑制して、受信した放送の音声を聴き易くすることができる放送受信装置に関する。
【背景技術】
【０００２】
従来、ＡＭ放送、ＦＭ放送等の放送電波を受信したとき、受信した放送電波が微弱である場合等に、受信した放送の音声信号に含まれる高調波ノイズが音声信号とともに増幅されてスピーカから出力されるため、受信した放送の音声が聴き難くなるという問題点があった。
【０００３】
背景技術としては、検波回路の出力信号を検知して、出力信号の周波数特性を変化させ、人の聴感特性に適合した前記変調度の信号を形成して、時間的な変調度の平均値を計測し、計測された平均値に基づいて複数の設定可能な再生条件のＡＳＣ（Ａｕｔｏ−Ｓｅｐａｒａｔｉｏｎ  Ｃｏｎｔｒｏｌ）特性の感度補正、ＡＴＣ（Ａｕｔｏ−Ｔｏｎｅ  Ｃｏｎｔｒｏｌ）特性の感度補正、Ｍ−ＡＳＣ（Ｍｕｌｔｉ−Ａｕｔｏ−Ｓｅｐａｒａｔｉｏｎ  Ｃｏｎｔｒｏｌ）特性の感度補正、ノイズキャンセラーの感度補正のうちの少なくとも１つを変更して、平均値が高い場合には、低い場合よりも、再生条件の変更を抑制するようにしたものがあった（例えば、特許文献１参照）。
【０００４】
また、他局からの音声信号を受信し、後段に設けられ音声帯域に近い低周波ノイズを検出して、音声帯域より離れた高周波ノイズを検出し、ノイズの周波数帯域に関係なくノイズレベルに応じて、検出されたノイズレベルの大小に応じてスイッチのＯＮ／ＯＦＦ制御を行い、自動的に音声出力のＯＮ／ＯＦＦを制御するようにしたものがあった（例えば、特許文献２参照）。
【特許文献１】特開平７−８６９７６号公報
【特許文献２】特開２００１−７７１７号公報
【発明の開示】
【発明が解決しようとする課題】
【０００５】
しかしながら、背景技術で述べたもののうち前者においては、検波回路の出力信号を検知して、出力信号の周波数特性を変化させ、人の聴感特性に適合した前記変調度の信号を形成して、時間的な変調度の平均値を計測し、計測された平均値に基づいて複数の設定可能な再生条件のＡＳＣ特性の感度補正、ＡＴＣ特性の感度補正、Ｍ−ＡＳＣ特性の感度補正、ノイズキャンセラーの感度補正のうちの少なくとも１つを変更して、平均値が高い場合には、低い場合よりも、再生条件の変更を抑制することができたが、放送電波を受信する放送局毎に音声信号の高域周波数を遮断する高域遮断周波数を予め設定して、放送電波を受信する放送局が選局されたとき、放送局毎に予め設定された音声信号の高域遮断周波数を選択して、音声信号に含まれる高調波ノイズを遮断し、受信した放送の音声を聴き易くするようにしたものではなかった。
【０００６】
また、後者においては、他局からの音声信号を受信し、後段に設けられ音声帯域に近い低周波ノイズを検出して、音声帯域より離れた高周波ノイズを検出し、ノイズの周波数帯域に関係なくノイズレベルに応じて、検出されたノイズレベルの大小に応じてスイッチのＯＮ／ＯＦＦ制御を行い、自動的に音声出力のＯＮ／ＯＦＦを制御することができたが、上記同様、放送電波を受信する放送局毎に音声信号の高域周波数を遮断する高域遮断周波数を予め設定して、放送電波を受信する放送局が選局されたとき、放送局毎に予め設定された音声信号の高域遮断周波数を選択して、音声信号に含まれる高調波ノイズを遮断し、受信した放送の音声を聴き易くするようにしたものではなかった。
【０００７】
本発明は、背景技術の有するこのような問題点に鑑みてなされたものであり、その目的とするところは、放送電波を受信する放送局毎に音声信号の高域周波数を遮断する高域遮断周波数を予め選択して、放送電波を受信する放送局が選局されたとき、放送局毎に予め選択された高域遮断周波数以上の音声信号を遮断して、受信した放送の音声信号に含まれる高調波ノイズを遮断し、受信した放送の音声を聴き易くすることができる放送受信装置を提供しようとするものである。
【課題を解決するための手段】
【０００８】
上記目的を達成するため本発明においては、アンテナにより受信された放送電波の高周波信号を増幅する高周波増幅回路と、高周波増幅回路により増幅された高周波信号と局部発振回路により発振された高周波信号とを混合して中間周波数信号に変換する混合回路と、混合回路により中間周波数信号に変換された中間周波数信号を増幅する中間周波増幅回路と、中間周波数増幅回路により増幅された中間周波数信号を検波して音声信号を再生する検波回路と、検波回路により再生された音声信号を増幅してスピーカから音声を出力する低周波増幅回路とを有する放送受信装置であって、前記検波回路と前記低周波増幅回路との間に設けられ、受信した放送電波から検波再生された音声信号に含まれる高調波ノイズを遮断する複数のフィルタ手段と、前記複数のフィルタ手段を放送局毎に選択する選択手段と、前記選択手段により選択された前記複数のフィルタ手段の選択情報を放送局毎に対応して記憶する記憶手段と、放送電波が受信されたとき、受信された放送局に対応して前記記憶手段に記憶されている前記複数のフィルタ手段の選択情報に基づいて、前記複数のフィルタ手段を切り換える制御手段とを備える。
【０００９】
前記複数のフィルタ手段は、音声信号の高域周波数を遮断して、音声信号に含まれる高調波ノイズを遮断する複数の高域遮断フィルタ回路とするとよい。
【００１０】
前記複数のフィルタ手段は、音声信号の高域周波数を遮断して、音声信号に含まれる高調波ノイズを遮断する抵抗とコンデンサとで構成した複数の高域遮断フィルタ回路とするとよい。
【００１１】
前記記憶手段は、不揮発性メモリとするとよい。
【００１２】
これらの手段により、放送電波を受信する放送局毎に音声信号の高域周波数を遮断する高域遮断周波数を予め選択して、放送電波を受信する放送局が選局されたとき、放送局毎に予め選択された高域遮断周波数以上の音声信号を遮断して、受信した放送の音声信号に含まれる高調波ノイズを遮断し、受信した放送の音声を聴き易くすることができる。
【発明の効果】
【００１３】
請求項１記載の発明に係る放送受信装置によれば、音声信号の高域周波数を遮断して、受信した放送電波から検波再生された音声信号に含まれる高調波ノイズを遮断する抵抗とコンデンサとで構成された複数の高域遮断フィルタ回路を検波回路と低周波増幅回路との間に設け、複数の高域遮断フィルタ回路を放送局毎に選択して、選択された複数の高域遮断フィルタ回路の選択情報を放送局毎に対応して不揮発性メモリに記憶し、放送電波が受信されたとき、受信された放送局に対応して不揮発性メモリに記憶されている複数の高域遮断フィルタ回路の選択情報に基づいて、複数の高域遮断フィルタ回路を切り換えるようにしているので、放送電波を受信する放送局毎に音声信号の高域遮断周波数を予め設定して、放送電波を受信する放送局が選局されたとき、放送局毎に予め設定された高域遮断周波数以上の音声信号を遮断して、受信した放送の音声信号に含まれる高調波ノイズを遮断し、受信した放送の音声を聴き易くすることができる。また、放送局毎に選択された複数の高域遮断フィルタ回路の選択情報を不揮発性メモリに記憶するようにしているので、放送受信装置の電源がＯＦＦにされても、記憶内容をそのまま維持することができる。
【００１４】
請求項２記載の発明に係る放送受信装置によれば、受信した放送電波から検波再生された音声信号に含まれる高調波ノイズを遮断する複数のフィルタ手段を検波回路と低周波増幅回路との間に設け、複数のフィルタ手段を放送局毎に選択して、選択された複数のフィルタ手段の選択情報を放送局毎に対応して記憶し、放送電波が受信されたとき、受信された放送局に対応して記憶されている複数のフィルタ手段の選択情報に基づいて、複数のフィルタ手段を切り換えるようにしているので、放送電波を受信する放送局毎に音声信号の高域遮断周波数を予め設定して、放送電波を受信する放送局が選局されたとき、放送局毎に予め設定された高域遮断周波数以上の音声信号を遮断して、受信した放送の音声信号に含まれる高調波ノイズを遮断し、受信した放送の音声を聴き易くすることができる。
【００１５】
請求項３記載の発明に係る放送受信装置によれば、複数の高域遮断フィルタ回路により音声信号の高域周波数を遮断して、音声信号に含まれる高調波ノイズを遮断するようにしているので、高域遮断周波数以上の音声信号を遮断して、受信した放送の音声信号に含まれる高調波ノイズを遮断し、受信した放送の音声を聴き易くすることができる。
【００１６】
請求項４記載の発明に係る放送受信装置によれば、抵抗とコンデンサとで構成された複数の高域遮断フィルタ回路により、音声信号の高域周波数を遮断して、音声信号に含まれる高調波ノイズを遮断するようにしているので、低コストで高域遮断フィルタ回路を構成することができる。
【００１７】
請求項５記載の発明に係る放送受信装置によれば、放送局毎に選択された複数のフィルタ手段の選択情報を不揮発性メモリに記憶するようにしているので、放送受信装置の電源がＯＦＦにされても、記憶内容をそのまま維持することができる。
【発明を実施するための最良の形態】
【００１８】
以下、適宜図面を参照しながら本発明を実施するための最良の形態を詳述する。図１は本発明の一実施例の放送受信装置の構成を示すブロック図であり、図２は本発明の一実施例の放送受信装置のフィルタ回路であり、図３は本発明の一実施例の放送受信装置のフィルタ回路の高域遮断周波数特性を示す説明図であり、図４は本発明の一実施例の放送受信装置の動作を示すフローチャートである。
【００１９】
まず、図１の本発明の一実施例の放送受信装置の構成を示すブロック図を基に説明する。
【００２０】
放送受信装置１０は、アンテナ３０により受信された放送電波の高周波信号を増幅する高周波増幅回路１１と、高周波増幅回路１１により増幅された高周波信号と局部発振回路１３により発振された高周波信号とを混合して中間周波数信号に変換する混合回路１２と、混合回路１２により中間周波数信号に変換された中間周波数信号を増幅する中間周波増幅回路１４と、中間周波数増幅回路１４により増幅された中間周波数信号を検波して音声信号を再生する検波回路１５と、検波回路１５により再生された音声信号の高域周波数を遮断する複数の高域遮断フィルタ回路を有するフィルタ回路１６と、音声信号を増幅してスピーカ４０から音声を出力する低周波増幅回路１７と、放送受信装置１０のシステムを制御するマイコン１８と、情報を記憶する不揮発性メモリであるＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ‐Ｏｎｌｙ  Ｍｅｍｏｒｙ）１９と、複数の操作キーが設けられたキー操作部２０とで構成されている。
【００２１】
また、図２の本発明の一実施例の放送受信装置のフィルタ回路を基に説明する。
【００２２】
フィルタ回路１６は、抵抗Ｒ１とコンデンサＣ１とで構成された高域遮断フィルタ回路１６ａと、抵抗Ｒ２とコンデンサＣ２とで構成された高域遮断フィルタ回路１６ｂと、抵抗Ｒ３とコンデンサＣ３とで構成された高域遮断フィルタ回路１６ｃと、抵抗Ｒ４とコンデンサＣ４とで構成された高域遮断フィルタ回路１６ｄと、高域遮断フィルタ回路１６ａ〜１６ｄを切り換えるスイッチ回路１６ｅとで構成されている。スイッチ回路１６ｅのスイッチＳＷ１〜ＳＷ４のいずれかをＯＮにすると、複数の高域遮断フィルタ回路１６ａ〜１６ｄが切り換えられ、検波回路１５により検波再生された音声信号の所望の高域周波数を遮断して（図３参照）、高域周波数が遮断された音声信号が低周波増幅回路１７に送出されるようになっている。なお、スイッチ回路１６ｅのスイッチＳＷ０をＯＮにすると、検波回路１５により検波再生された音声信号は、高域周波数が遮断されずに低周波増幅回路１７に送出されるようになっている。
【００２３】
以上のように構成された放送受信装置について、以下その動作について説明する。
【００２４】
キー操作部２０の操作キーの操作により放送電波を受信する放送局が選局されると、マイコン１８は、局部発振回路１３に制御信号を送出して、局部発振周波数を変更して選局された放送局の放送電波の周波数に同調させ、選局された放送局の放送電波を受信して、受信した放送の音声信号を低周波増幅回路１７により増幅して、スピーカ４０から音声を出力する。
【００２５】
受信した放送電波が微弱である場合等に、受信した放送の音声信号に含まれる高調波ノイズが音声信号とともに増幅され、スピーカ４０から出力された音声が聴き難い場合、ユーザは、キー操作部２０の操作キーを操作して、フィルタ回路１６の複数の高域遮断フィルタ回路１６ａ〜１６ｄを選択して、フィルタ回路１６の複数の高域遮断フィルタ回路１６ａ〜１６ｄのいずれかに切り換え、受信した放送の音声信号の高域周波数を遮断して、受信された放送の音声信号に含まれる高調波ノイズを遮断し、スピーカ４０から出力された音声が聞き易くなるようにする。キー操作部２０の操作キーの操作によりフィルタ回路１６の複数の高域遮断フィルタ回路１６ａ〜１６ｄのいずれかが選択されると、マイコン１８は、スイッチ回路１６ｅに制御信号を送出して、スイッチ回路１６ｅのスイッチＳＷ１〜ＳＷ４をＯＮにして、フィルタ回路１６の高域遮断フィルタ回路１６ａ〜１６ｄを選択された高域遮断フィルタ回路に切り換え、受信した放送局に対応して、選択された高域遮断フィルタ回路１６ａ〜１６ｄの選択情報をＥＥＰＲＯＭ１９に記憶する。
【００２６】
マイコン１８は、選局された放送局の放送電波を受信すると、放送電波を受信した放送局に対応してフィルタ回路１６の複数の高域遮断フィルタ回路１６ａ〜１６ｄの選択情報がＥＥＰＲＯＭ１９に記憶されているか否かを判断して、選局された放送局に対応してフィルタ回路１６の複数の高域遮断フィルタ回路１６ａ〜１６ｄの選択情報がメモリに記憶されている場合、スイッチ回路１６ｅに制御信号を送出して、選局された放送局に対応してＥＥＰＲＯＭ１９に記憶されている高域遮断フィルタ回路の選択情報に基づいて、フィルタ回路１６の複数の高域遮断フィルタ回路１６ａ〜１６ｄを切り換え、受信した放送の音声信号の高域周波数を遮断して、受信した放送の音声信号に含まれる高調波ノイズを遮断し、低周波増幅回路１７により音声信号を増幅してスピーカ４０から音声を出力する。
【００２７】
また、選局された放送局に対応してフィルタ回路１６の複数の高域遮断フィルタ回路１６ａ〜１６ｄの選択情報がＥＥＰＲＯＭ１９に記憶されていない場合、マイコン１８は、スイッチ回路１６ｅに制御信号を送出して、スイッチ回路１６ｅのスイッチＳＷ０をＯＮにして、受信した放送の音声信号の高域周波数を遮断せずに低周波増幅回路１７に送出し、低周波増幅回路１７により増幅してスピーカ４０から高域周波数が遮断されていない音声を出力する。
【００２８】
また、図４は本発明の一実施例の放送受信装置の動作を示すフローチャートを基に説明する。
【００２９】
操作キーの操作により放送電波を受信する放送局が選局されると、ステップＳ１からステップＳ２に進み、ステップＳ２で、選局された放送局の放送電波が受信され、ステップＳ３に進む。
【００３０】
ステップＳ３で、選局された放送局に対応してフィルタ回路の複数の高域遮断フィルタ回路の選択情報がメモリに記憶されているか否かが判断され、選局された放送局に対応してフィルタ回路の複数の高域遮断フィルタ回路の選択情報がメモリに記憶されている場合、ステップＳ４に進み、選局された放送局に対応してフィルタ回路の複数の高域遮断フィルタ回路の選択情報がメモリに記憶されていない場合、ステップＳ５に進む。
【００３１】
ステップＳ４で、選局された放送局に対応してメモリに記憶されているフィルタ回路の高域遮断フィルタ回路の選択情報に基づいて、フィルタ回路の複数の高域遮断フィルタ回路が切り換えられ、ステップＳ５に進む。
【００３２】
ステップＳ５で、フィルタ回路の複数の高域遮断フィルタ回路を選択する操作キーが操作されたか否かが判断され、フィルタ回路の複数の高域遮断フィルタ回路を選択する操作キーが操作された場合、ステップＳ６に進み、フィルタ回路の複数の高域遮断フィルタ回路を選択する操作キーが操作されていない場合、ステップＳ７に進んで処理を終了する。
【００３３】
ステップＳ６で、選択されたフィルタ回路の高域遮断フィルタ回路に切り換えられ、受信した放送局に対応してフィルタ回路の高域遮断フィルタ回路の選択情報がメモリに記憶されて、ステップＳ７に進んで処理を終了する。
【００３４】
以上、本発明を実施するための最良の形態について詳述したが、本発明はこれに限らず、当業者の通常の知識の範囲内でその変形や改良が可能である。例えば、キー操作部の操作キーを操作して、フィルタ回路の複数の高域遮断フィルタ回路を選択することを説明したが、リモコン装置の操作キーを操作して、フィルタ回路の複数の高域遮断フィルタ回路を選択するようにしてもよい。
【図面の簡単な説明】
【００３５】
【図１】本発明の一実施例の放送受信装置の構成を示すブロック図である。
【図２】本発明の一実施例の放送受信装置のフィルタ回路である。
【図３】本発明の一実施例の放送受信装置のフィルタ回路の高域遮断周波数特性を示す説明図である。
【図４】本発明の一実施例の放送受信装置の動作を示すフローチャートである。
【符号の説明】
【００３６】
１０  放送受信装置
１１  高周波増幅回路
１２  混合回路
１３  局部発振回路
１４  中間周波増幅回路
１５  検波回路
１６  フィルタ回路
１６ａ〜１６ｄ  高域遮断フィルタ回路
１６ｅ  スイッチ回路
１７  低周波増幅回路
１８  マイコン
１９  ＥＥＰＲＯＭ
２０  キー操作部
３０  アンテナ
４０  スピーカ
【図１】
2005073193.tif 000003
【図２】
2005073193.tif 000004
【図３】
2005073193.tif 000005
【図４】
2005073193.tif 000006